(57)【要約】【課題】コピー動作を行う場合において、給紙部にセットした記録メディアの種類に応じた読み取り制御、画像処理、印字制御を実施することで、記録メディアに最適な印字結果を出力することが可能になる。【解決手段】給紙部１０８にセットした記録メディアを紙種検知手段１０７にて検出し、その紙種によって読み取り解像度、印字解像度を変更して印字を行うように構成した。たとえば、コート紙や光沢紙については、高解像度で読み取りおよび記録を行い、写真画像として画像処理を施す。一方普通紙やＯＨＰ紙については、低解像度で読み取りおよび記録を行い、文字及び画像を含む画像として画像処理を施す。【選択図】図１
2006128794.tif 000002
【特許請求の範囲】
【請求項１】
原稿画像の複製を行う複写装置であって
原稿を光学的に読み取り画像データとして出力する読み取り手段と、
前記画像データに対して画像処理を施して多値化データを出力する画像処理手段と、
前記多値化データを記録データに変換して記録メディアに画像形成する記録手段と、
前記記録手段により画像形成される記録メディアの種類を検知するための検知手段と、
前記読み取り手段にて原稿を読み取る読み取り解像度、および、前記記録手段にて記録メディアに画像形成する記録解像度を、それぞれ前記検知手段により検知した記録メディアの種類に応じた解像度とし、前記画像処理手段での画像処理として、前記記録メディアの種類に応じた画像処理を行わせる制御手段と
を備えることを特徴とする複写装置。
【請求項２】
前記制御手段は、前記読み取り解像度と前記記録解像度とを同じ解像度として、前記読み取り手段による画像データの読み取りおよび前記記録手段による画像形成を行うことを特徴とする請求項１に記載の複写装置。
【請求項３】
前記読み取り手段は２次元配列された画像データの一方の配列方向について解像度を変更可能であり、前記制御手段は、前記記録メディアの種類に応じて前記読み取り解像度を変更した場合には、前記画像処理手段により、他方の配列方向の解像度について、前記読み取り解像度に応じて解像度変換処理を行うことを特徴とする請求項１に記載の複写装置。
【請求項４】
コピーモードを設定する設定手段を更に備え、該設定手段はコピーモードとしてオートモードを設定可能であり、前記コピーモードとしてオートモードが設定されている場合に、前記制御手段は、前記読み取り手段にて原稿を読み取る読み取り解像度、および、前記記録手段にて記録メディアに画像形成する記録解像度を、それぞれ前記紙種検知手段により検知した記録メディアの種類に応じた解像度とし、前記画像処理手段での画像処理として、前記記録メディアの種類に応じた画像処理を行わせることを特徴とする請求項１乃至３のいずれかに記載の複写装置。
【請求項５】
前記読み取り解像度及び記録解像度として、それぞれ高解像度と低解像度のいずれかを選択可能であり、前記制御手段は、前記記録メディアの種類がコート紙または光沢紙のいずれかの場合には、前記読み取り解像度及び記録解像度として高解像度を、前記記録メディアの種類がコート紙または光沢紙のいずれでもない場合には、前記読み取り解像度及び記録解像度として低解像度を選択して、前記読み取り手段による読み取りおよび前記記録手段による画像形成を行わせることを特徴とする請求項１乃至３のいずれかに記載の複写装置。
【請求項６】
前記制御手段はさらに、前記記録メディアの種類がコート紙または光沢紙のいずれかの場合には、前記画像処理として、写真画像用の画像処理を、前記記録メディアの種類がコート紙または光沢紙のいずれでもない場合には、前記画像処理として、テキスト及び写真画像が混在した画像用の画像処理を行わせることを特徴とする請求項５に記載の複写装置。
【請求項７】
前記設定手段は、さらにオートモード以外のモードの設定が可能であり、コピーモードとしてオートモード以外のモードが設定されている場合には、前記読み取り手段にて原稿を読み取る読み取り解像度、および、前記記録手段にて記録メディアに画像形成する記録解像度を、設定されているコピーモードに応じた解像度とし、前記画像処理手段での画像処理として、前記コピーモードに応じた画像処理を行わせることを特徴とする請求項４に記載の複写装置。
【請求項８】
前記記録手段はインクジェット方式で画像を記録メディア上に形成することを特徴とする請求項１乃至７のいずれか１項に記載の複写装置。
【請求項９】
原稿画像の複製を行う複写装置の制御方法であって
原稿を光学的に読み取り画像データとして出力する読み取り工程と、
前記画像データに対して画像処理を施して多値化データを出力する画像処理工程と、
前記多値化データを記録データに変換して記録メディアに画像形成する記録工程と
を備え、
前記読み取り工程にて原稿を読み取る読み取り解像度、および、前記記録工程にて記録メディアに画像形成する記録解像度を、それぞれ検知手段により検知された記録メディアの種類に応じた解像度とし、前記画像処理手段での画像処理として、前記記録メディアの種類に応じた画像処理を行わせる制御手段と
を備えることを特徴とする複写装置の制御方法。
【発明の詳細な説明】
【技術分野】
【０００１】
本発明は、たとえばスキャナ機能やプリンタ機能等を有し、特にコピー機能を有する複写装置およびその制御方法に関するものである。
【背景技術】
【０００２】
図５に従来例の複写装置（以下、画像処理装置と呼ぶ。）の構成について示す。従来のスキャナ機能、プリンタ機能、コピー機能等を有する画像処理装置６０１では、スキャナ機能あるいはプリンタ機能を使用する場合にはホストコンピュータ６０２に接続して使用していた。例えばスキャナ機能では、画像処理装置６０１内のスキャナ部６０３で読み取った原稿のデジタルデータを、インターフェイス部１０６を通じてホストコンピュータ６０２へ転送することを可能にしている。また、プリンタ機能ではホストコンピュータ６０２内で作成したデータをインターフェイス部６０７を通じて画像処理装置６０１内の記録部６０６へ転送し、プリント出力を行うことを可能にしている。こうして、ホストコンピュータ６０２を介して原稿画像の複製を行うことができる。
【０００３】
一方、画像処理装置の有するコピー機能を使用する場合においては、ホストコンピュータ６０２とは関係なくスタンドアローンでコピー機能を使用することが可能である。具体的な動作フローは例えば、コピーしたい原稿を画像処理装置６０１内のスキャナ部６０３で読み取られる。スキャナ部６０３から出力される画像データは画像処理部６０４に入力され、そこで例えば入力マスク処理、フィルタ処理、変倍処理、ｌｏｇ変換処理、マスキング処理、ガンマ処理、多値化処理といった画像処理が施されて、多値化データとしてデータバッファ６０５に保持される。そして、保持された多値化データは記録部６０６で記録データに変換され、記録メディアにプリントされる。
【０００４】
また、コピーしたい画像に応じてモード設定が可能な画像処理装置もある。これは、画像の種類（写真、文字、写真と文字、図形など）によって画像処理の仕方を変えた方がよい場合があり、また、画質と処理速度との兼ね合いから最適な処理方法を選択可能とするためである。また、記録部６０６がインクジェット方式で構成されており、染料系インクを用いている場合には、印刷用紙へのインクの浸透具合（浸透速度や接触角など）により画質が変化するため、コート紙や普通紙など、インクの浸透具合の異なる媒体の種類毎にそれに適した解像度や画像処理が施されることが好ましい。
【０００５】
そこで、例えばテキスト画像のコピーをする場合にはコピーモード、写真画像のコピーの場合には写真モードなどの設定があり、各々の設定によってスキャナ部６０３、画像処理部６０４、記録部６０６でのデータ処理を変えて記録メディアへの印字を行うようにしている複写装置がある（特許文献１参照）。
【特許文献１】特開２０００−２４４６９７号公報
【発明の開示】
【発明が解決しようとする課題】
【０００６】
しかしながら、画像処理装置の有するコピー機能を使用するときに、ユーザーが給紙部にセットした記録メディアの種類と、テキスト画像モードや写真画像モード等のコピーモードの設定とがマッチしており、複写結果が良ければ問題ないが、記録メディアの種類とマッチしないコピーモードを設定してしまった場合には印刷結果が満足のいかないものになってしまうことがある。例えばコピーモードとしてテキスト画像モードに設定して複写を行うと、スキャナ部では低解像で読み取り動作し、また、記録部でも低解像度で画像形成動作する。この場合に記録メディアが光沢紙のような高解像度向けの記録メディアであった場合、印刷結果は薄い画像になってしまう。逆に、例えばコピーモードとして写真画像モードに設定して複写を行うと、スキャナ部では高解像で読み取り動作し、また、記録部でも高解像度で画像形成動作する。この場合に記録メディアが普通紙のような低解像度向けの記録メディアであった場合、高解像度で記録しても印刷結果にはその解像度が反映されず、必ずしも高画質の画像とはならない。
【０００７】
このように、ユーザーが選択できるコピーモードが例えばテキスト画像モードと、写真画像モードの２種類しかない場合には、それぞれのコピーモードに応じた画像処理は可能なものの、普通紙、コート紙、光沢紙等の複数ある記録メディアの種類に対して、最適なコピーモードにおける制御が行われるとは限らない。そのため、モードと記録メディアの種類の組み合わせによっては、本来得られるはずの画像品質に対して、より低い品質の画像が出力されることがあるという問題があった。
【０００８】
本発明は上記問題点に鑑みてなされたものであり、印刷に用いる記録メディアの種類に応じた読み取り制御、画像処理、印字制御を実施することで、高品質の画像を出力することを可能とした複写装置及びその制御方法を提供することを目的とする。
【課題を解決するための手段】
【０００９】
上記目的を達成するため日本発明は以下の構成を有する。原稿画像の複製を行う複写装置であって原稿を光学的に読み取り画像データとして出力する読み取り手段と、前記画像データに対して画像処理を施して多値化データを出力する画像処理手段と、前記多値化データを記録データに変換して記録メディアに画像形成する記録手段と、前記記録手段により画像形成される記録メディアの種類を検知するための検知手段と、前記読み取り手段にて原稿を読み取る読み取り解像度、および、前記記録手段にて記録メディアに画像形成する記録解像度を、それぞれ前記検知手段により検知した記録メディアの種類に応じた解像度とし、前記画像処理手段での画像処理として、前記記録メディアの種類に応じた画像処理を行わせる制御手段とを備える。
【発明の効果】
【００１０】
本発明によれば、印刷に用いる記録メディアの種類に応じた読み取り制御、画像処理、印字制御を実施することで、高品質の画像を出力することを可能とした。
【００１１】
特に、記録メディアが光沢紙やコート紙など、高解像度画像の形成に適している場合には、読み取り解像度及び記録解像度を高解像度にして、画像処理として写真画像に適した処理を行い、記録メディアが普通紙やＯＨＰ紙など、低解像度画像の形成に適している場合には、読み取り解像度及び記録解像度を低解像度にして、画像処理として文字と写真とが混在した画像に適した処理を行うことで、記録メディア上に形成される画像品質を向上させることができる。
【発明を実施するための最良の形態】
【００１２】
［第１実施形態］
以下、本発明の第１の実施形態の複写機（画像処理装置）について説明する。
【００１３】
この明細書において、「記録」（「プリント」、「印刷」という場合もある）とは、文字、図形等有意の情報を形成する場合のみならず、有意無意を問わず、また人間が視覚で知覚し得るように顕在化したものであるか否かを問わず、広く記録媒体上に画像、模様、パターン等を形成する、または媒体の加工を行う場合も表すものとする。
【００１４】
また、「記録媒体」（「記録メディア」、「メディア」という場合もある）とは、一般的な記録装置で用いられる紙のみならず、広く、布、プラスチック・フィルム、金属板、ガラス、セラミックス、木材、皮革等、インクを受容可能なものも表すものとする。
【００１５】
図１は本発明の実施例に関係する画像処理装置の制御システムの構成を示すブロック図である。このブロック図において、１０１は画像処理装置である。１０３はスキャナ部（読み取り部とも称する）であり、そこでは原稿をコンタクトセンサ（ＣＳ）あるいはＣＣＤのような光電素子で１ライン毎に読み取り、それを色分解してＲＧＢのアナログ画像信号を得ている。さらにそのアナログ画像信号からデジタル画像信号への変換を行っている。なおこのディジタル画像データを以下では単に画像データと呼ぶ。
【００１６】
１０４は画像処理部であり、スキャナ部１０３から出力された画像データに対して入力マスキング処理１０４１、フィルタ処理１０４２、変倍処理１０４３、ｌｏｇ変換処理１０４４、マスキング処理１０４５、ガンマ補正処理１０４６、多値化処理１０４７という順で画像処理を行う。入力マスキング処理１０４１では、ＣＣＤ等の光電変換素子の分光特性及び光源および反射傘の分光特性が補正される。フィルタ処理１０４２では、エッジ強調や平滑化など、それぞれの処理のために用意されているフィルタを用いてフィルタ処理を行う。変倍処理１０４３では、画像のサイズが拡大あるいは縮小される。ｌｏｇ変換処理１０４４では、ＲＧＢ表色系からＹＭＣ表色系など、表色系の変換が行われる。マスキング処理１０４５ではプリンタの出力にあった信号に補正される。このほか、下色除去処理なども行われる。ガンマ補正処理１０４６では、画素値と出力される濃度とが線形になるよう補正する。多値化処理１０４７では、画像データを量子化する。
【００１７】
１０５はデータバッファであり、多値化処理後に得られた多値化データがこのバッファ１０５に一時的に保存される。１０６は記録部であって、データバッファ１０５に保持されている多値化データを１ライン毎に受け取り、それを印字できるデータ形式、つまり印字データに変換し、記録メディアに対して記録を行うようにしている。
【００１８】
１０８は記録メディアをセットし保持するための給紙部で、記録部１０６からの給紙命令により記録部の印字位置まで記録メディアを搬送する。１０７は給紙部１０８に保持してある記録メディアの種類を検知するための紙種検知部である。紙種検知部１０７は、たとえば、メディア表面の反射率を測定するための第１の光センサと、メディアの光透過率を測定するための第２の光センサとを有する。この場合、第１の光センサは、メディア表面側に、発光ダイオードから発した光がメディア表面で反射されてフォトトランジスタに到達するように構成され、第２の光センサは、発光ダイオードとフォトトランジスタの間にメディアを配置可能なフォトインタラプタにより構成される。そして、たとえば、各フォトトランジスタで検出した光の強度が所定のしきい値を越えたの場合のセンサ出力値を１とする。その場合、第１の光センサの出力値が１であり、かつ、第２の光センサの出力値が０の場合には、反射光が検出され、透過光は検出されないから、記録メディアは光沢紙またはコート紙と判定できる。第１の光センサの出力値が０であり、かつ、第２の光センサの出力値が０の場合には、反射光、透過光とも検出されないから、記録メディアは普通紙と判定できる。第２の光センサの出力値が１の場合には、透過光が検出されたから、第１の光センサの出力値にかかわらず記録メディアはＯＨＰ紙と判定できる。このようにして、紙種を判定できる。
【００１９】
上述のような光学式センサを用いて直接的に記録媒体の種類を識別する方法以外に、間接的に検出することもできる。間接的に記録媒体の種類を識別する方法として、たとえば給紙部をカセット方式を採用し、記録装置に複数のカセットを備え、カセット毎にそこに収めるメディアの種類を表すバーコードや凸部などの識別部を設けておく。そして、バーコードであれば複写装置本体の光センサにより、凸部であれば凸部の位置を光センサまたは機械センサにより検出する方法がある。複写装置本体のマイクロスイッチなどによって、カセットに表された識別部に基づいてメディアの種類を判別することもできる。このほか、様々な種類のセンサをメディアの種類の識別のために利用することができる。
【００２０】
１０９は、コピーモードを操作者が入力したり、設定されたコピーモードを表示したりするための操作部である。操作部１０９により、操作者は、コピーモードとして写真画像モードやテキスト画像モード、ＤＴＰ画像モード、オートモード等を設定することができる。以上の各部は、制御部１０２により制御される。制御部１０２は、ＣＰＵやメモリ、入出力インターフェースなどにより構成される。そして、ＣＰＵによりメモリにロードされたプログラムを実行して、スキャナ部１０３による読み取り解像度や記録部１０６による記録解像度を変えて画像の読取りや画像の形成を行わせることができる。また、画像処理部１０４による画像処理についても、フィルタ処理１０４２で用いるフィルタを変更したり、変倍処理１０４３により縦横各方向について変倍することができる。また、制御部１０２には、紙種検知部１０７により検知されたメディアの種類が格納されるメディア種類格納部１０２ａと、操作者により設定されたコピーモードが格納されるモード格納部１０２ｂが設けられている。なおモード格納部１０２ｂは第１実施形態では使用せず、第２実施形態でのみ使用する。このように制御部１０２は画像処理装置１０１全体を制御する。
【００２１】
図４は、本実施形態の画像処理装置（複写装置）の断面構成図である。画像処理装置１０１は、スキャナ部とプリンタ部とから構成される。スキャナ部は、プラテンガラス４０２、原稿台カバー４０１、光源部４０４、反射鏡４０５、４０６、４０７、集光レンズ４０８、光電変換素子４０９を備えている。光源部４０４の照明部４０３により、プラテンガラス４０２に載置された原稿に対して光を照射し、その反射光を反射鏡４０５、４０６、４０７によって集光レンズ４０８に導き、その焦点面に設けられたＣＣＤ等の光電変換素子４０９により電気信号に変換し、さらにディジタル化してディジタル画像データとして画像処理部１０２に入力して画像の読み取りを行う。このとき、光源部４０４の走査方向（副走査方向とする。）の走査速度を変更することにより、走査方向の読み取り解像度を変えることができる。たとえば、通常の走査速度をＶ、この時の解像度を低解像度としたときに、走査速度Ｖ／２のときの解像度を高解像度とする。この場合、低解像度は高解像度の半分となる。低解像度は３００ＤＰＩ、高解像度は６００ＤＰＩ程度とすることができる。
【００２２】
本実施形態における画像処理装置１０１の記録部は、記録ヘッド６、給紙部１０８、紙種検知部１０７、排紙トレイ４１０を備えている。画像処理部１０２により加工された画像データは、記録データに変換されて、記録メディア（印刷用紙）Ｐの搬送位置及び記録ヘッド６の走査位置（図４の紙面に垂直な方向についての位置）に応じて、２次元の画像が形成されるように記録ヘッド６に与えられる。記録ヘッド６では、与えられた画像データに応じて記録メディアＰに対してインクを吐出する。それにより紙面に画像が形成される。なお記録ヘッド６は、典型的にはＹＭＣＫの４色のインクの記録ヘッドを含み、各色成分毎に画像データが与えられて画像を形成する。記録メディアＰは、給紙部１０８に載置され、給紙ローラによって表面から１枚ずつプリンタ部の中へと供給される。また、給紙部８には紙種検知部１０７を構成する光センサが設けられている。画像形成された記録メディアＰは、排紙トレイ４１０上に排出される。なお画像形成部も画像形成時の記録解像度を変更できる。そのために、たとえば記録ヘッドを通常の速度で搬送することで低解像度記録を、通常の半分で搬送することで高解像度記録を実現する。もちろんこの場合画素クロック（記録ヘッドの駆動周波数）は変更しない。このような方法を用いることで記録ヘッドの搬送方向の記録解像度を変更できる。用紙搬送方向について記録解像度を変更するために、通常（高解像度記録）は全ノズルを用いて画像形成するところを、低解像度記録では、用紙搬送方向について１つおきのノズルを用いて画像形成する。このようにすることで記録解像度を高解像度と低解像度のいずれかに変更できる。もちろんこの解像度の選択は制御部１０２によって記録部１０６の動作を制御することで行われる。
【００２３】
本実施形態では、記録部１０６はインクジェット方式で構成されている。ただし、本発明は、インクジェット記録方式に限らず、記録メディアの種類に応じた記録制御を行うことにより形成される画像の品質が変化するような記録方式であれば、どのような方式の記録部についても適用可能である。また、インクジェット方式は、さらに圧電素子等を駆動して記録ヘッド内部のインクに圧力を印加してノズルより吐出させる方式と、記録ヘッド内部のインクを加熱して蒸発させ、その圧力によりノズルより吐出させる方式とがある。本発明については、そのいずれであっても適用できる。
【００２４】
＜画像形成動作＞
次に本発明の実施形態の画像処理装置におけるコピー機能実行時の各制御システムの動作について説明する。図２は画像処理装置１０１における制御システムの一連の動作を示すフローチャートである。図２は、操作者が画像処理装置１０１のスキャナ部１０３に原稿を載せ操作部１０９からコピースタート操作を実行してからの手順を示している。
【００２５】
まず、紙種検知部１０７にて給紙部１０８内の記録メディアがどんな種類のものかを検出し、検出したメディア種類をメディア種類格納部１０２ａに格納する（ステップＳ２０１）。例えば"普通紙""コート紙""光沢紙""ＯＨＰ用紙"の４種類のどれかを検出する。そのためには、たとえば前述したように、２つの光センサの検知出力値の組み合わせにより、媒体の種類を特定できる。ここで検出した結果に応じてスキャナ部１０３での読み取り解像度が決まる。
【００２６】
ステップＳ２０２において紙種を判定する。"コート紙"または"光沢紙"の場合は、ステップＳ２０３に分岐する。ステップＳ２０３では、高解像度で原稿画像を読み取り、高解像度の画像データを生成する。"普通紙"または "ＯＨＰ用紙"の場合はステップＳ２０６に分岐する。ステップＳ２０６では、低解像度で原稿画像を読み取り、低解像度の画像データを生成する。ここでの高解像度読み取り動作とは、主走査方向の解像度はそのままであるが、副走査方向の読み取り速度を遅くすることで高解像度を読み取り実現している。また、低解像度読み取り動作は副走査方向の読み取り速度を速くすることで低解像度を読み取り実現している。
【００２７】
スキャナ部１０３では紙種検知部１０７で検出した記録メディアの種類（すなわちメディア種類格納部１０２ａの値）に応じた解像度で原稿読み取りを開始し、そこで作成された画像データを画像処理部２０４に転送する。画像データが画像処理部２０４に入力されると、画像処理部２０４内の画像処理がスタートし、入力マスキング処理、フィルタ処理、変倍処理、ｌｏｇ変換処理、マスキング処理、ガンマ処理、多値化処理という順に処理が進んでいく。多値化処理後の多値化データはデータバッファ２０５に保持される。ここでの画像処理においても各記録メディアに応じた最適な印字画像が得られるようデータ処理を実行する。
【００２８】
ステップＳ２０２で"コート紙"または"光沢紙"と判定されている場合には、ステップＳ２０４では、処理対象として写真画像を想定してそれに適した画像処理を実行する。写真画像を想定した画像処理とは、たとえばフィルタ処理として平滑化フィルタを用いた処理や、孤立点の削除を行うことなどがある。一方、ステップＳ２０２で"普通紙"または"ＯＨＰ紙"と判定された場合には、ステップＳ２０７で、テキストと画像が入り交じったＤＴＰ画像を想定してそれに適した画像処理をする。ＤＴＰ画像を想定した処理とは、たとえばフィルタ処理としてエッジ強調フィルタを用いた処理などがある。
【００２９】
次にデータバッファ１０５に１ライン分の多値化データが揃ったところで、その１ライン分の多値化データを記録部１０６への転送を開始する。記録部１０６では送られてきた多値化データを印字データに変換し、印字するのに必要なデータ量が揃ったら、印字を開始する。記録部１０６内で行われる印字制御は各記録メディアに応じた制御を行う。ステップＳ２０２で紙種が"コート紙"または"光沢紙"と判定されている場合にはステップＳ２０５で高精細な画像を印字するため高解像度印字制御を行う。またステップＳ２０２で紙種が"普通紙"または"ＯＨＰ用紙と判定されている場合にはステップＳ２０８で速度を重視した低解像度印字制御を行う。
【００３０】
ここで、スキャナ部１０３での読み取り解像度と記録部１０６での印字解像度は同じになるよう制御されている。すなわち、読み取り解像度と記録解像度は、低解像度と高解像度とが、それぞれ一致している。例えば記録メディアが"コート紙"または"光沢紙"の場合には高解像度による読み取り制御、画像処理、印字制御を行うので原稿を忠実に再現した印字画像が得られる。
【００３１】
一方、記録メディアが"普通紙"または"ＯＨＰ紙"の場合には、低解像度による読み取り制御、画像処理、印字制御を行う。普通紙やＯＨＰ紙に対しては、必要以上に高精細な記録を行ってもそれに見合う画質の向上は得られないことから、過剰な処理を行わず、それにより迅速な出力が可能となる。このようにコピー動作において紙種に応じた一連のデータ制御を行うことで、紙種に最適な印字結果が得られる。
【００３２】
なお、本実施形態においては、スキャナ部の読み取り解像度や、記録部の記録解像度を低解像度と高解像度の２種類としたが、３種類以上の解像度の中から、記録媒体の種類や記録速度に応じて適切な解像度で読み取り、記録を行えるようにしても良い。
【００３３】
また、本実施形態においては、記録の解像度を変更する方法として、走査速度を変更して記録する方法を用いたが、走査速度は一定でそれぞれのノズルからインクを吐出する間隔である駆動周波数を変更する方法も考えられる。さらに、所定の記録領域を複数の記録走査で記録する場合には、所定の走査において記録に使用するノズルを制限する方法や、所定の記録領域を走査する回数を変更する方法、記録走査後に行われる記録メディアの搬送量を変更する方法などが考えられる。
【００３４】
［第２実施形態］
第１の実施形態では、コピーモードは検知された紙種に応じて決定されていた。本実施形態では、画像処理装置１０１には、コピーモードとして、"テキスト画像"、"写真画像"、"ＤＴＰ画像"、"オート"を設定可能である。そして、"テキスト画像"または"写真画像"または"ＤＴＰ画像"モードのいずれかが設定されている場合には、紙種検知部２０７の結果にかかわらず、各々の設定に応じて読み取り部１０３、画像処理部１０４、記録部１０６でのデータ処理を行うようにする。そして、"オート"モード設定時には、予め紙種検知部１０７にて検知した記録メディアの種類に応じて、読み取り部１０３による原稿読み取り制御、画像処理部１０４でのデータ処理、記録部１０６による印字制御をそれぞれ変更して前記記録メディアに対して最適な印字結果が得られるようにしている。
【００３５】
本実施形態の装置の構成は、第１実施形態と同様に、図１および図４の構成を有する。そして、制御部１０２による制御手順は図２の手順の代わりに、図３の手順が実行される。ここで、ステップＳ３０２〜Ｓ３０９は、それぞれ図２のステップＳ２０１〜Ｓ２０８と同様の処理である。したがって説明を省略する。ステップＳ３０２〜Ｓ３０９は、ステップＳ３０１でコピーモード（モード格納部１０２ｂの値）が"オート"モードの場合に実行される。
【００３６】
一方ステップＳ３０１でオートモードではないと判定された場合には、ユーザが操作部１０９により設定した各モードに応じた読み取り解像度、画像処理、記録解像度で複写動作を、ステップＳ３１０〜Ｓ３１２で行う。各ステップでの動作は、たとえば、"テキスト画像"または"写真画像"または"ＤＴＰ画像"のいずれかのモードに応じて個別に決めておいても良いが、ステップＳ３０４〜Ｓ３０６あるいは、ステップＳ３０７〜Ｓ３０９のいずれかを行うように構成することもできる。たとえば、"テキスト画像"および"ＤＴＰ画像"モードのいずれかであれば、ステップＳ３１０〜ステップＳ３１２として、ステップＳ３０４〜ステップＳ３０６と同様の処理を実行し、"写真画像"モードであれば、ステップＳ３１０〜ステップＳ３１２として、ステップＳ３０７〜ステップＳ３０９と同様の処理を実行する。
【００３７】
もちろん、たとえば"テキスト画像"モードであれば、画像処理ではエッジ強調を行うが、"ＤＴＰ画像"モードであれば、画像処理ではエッジ強調は行わないなど、画像処理のみ異なる処理を行うように構成することもできる。
【００３８】
以上のように、操作者により設定されたモードを優先して読み取り解像度や記録解像度、画像処理の内容を決定し、紙種に応じて決定するモード（オートモード）が指定されている場合に、紙種に応じて最適な読み取り解像度や記録解像度、画像処理の内容で、複写動作を行う。このようにして、利用者の意思を尊重しつつ、画像品質の向上と処理速度の迅速化とを両立させた複写動作が、複写機単独で可能となる。
【００３９】
さらに、コピー動作を行う場合において、給紙部にセットした記録メディアの種類に応じた読み取り制御、画像処理、印字制御を実施することで、記録メディアに最適な印字結果を出力することが可能になる。例えばコート紙、光沢紙での印字では高解像度読み取り、画像処理、高解像度印字により、原稿に忠実な印字画像が表現できる。
【００４０】
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用してもよい。また、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはCPUやMPU）が記憶媒体に格納されたプログラムコードを読み出し実行することによっても達成される。この場合、記憶媒体から読み出されたプログラムコード自体が前述した実施形態の機能を実現することになり、そのプログラムコード自体およびプログラムコードを記憶した記憶媒体は本発明を構成することになる。
【００４１】
また、コンピュータが読み出したプログラムコードを実行することにより、前述した実施形態の機能が実現されるだけでなく、そのプログラムコードの指示に基づき、コンピュータ上で稼働しているオペレーティングシステム(OS)などが実際の処理の一部または全部を行い、その処理によって前述した実施形態の機能が実現される場合も含まれる。さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるCPUなどが実際の処理の一部または全部を行い、その処理によって前述した実施形態の機能が実現される場合も含まれる。
【図面の簡単な説明】
【００４２】
【図１】本発明に係る複写装置（画像処理装置）のブロック図である。
【図２】本発明の第１実施形態の画像処理装置の制御フローチャートである。
【図３】本発明の第２実施形態の画像処理装置の制御フローチャートである。
【図４】本発明に係る複写装置（画像処理装置）の断面図である。
【図５】従来例の画像処理装置の構成図である
【符号の説明】
【００４３】
１０１：画像処理装置
１０２：制御部
１０３：スキャナ部
１０４：画像処理部
１０５：データバッファ
１０６：記録部
１０７：紙種検知部
１０８：給紙部
【図１】
2006128794.tif 000003
【図２】
2006128794.tif 000004
【図３】
2006128794.tif 000005
【図４】
2006128794.tif 000006
【図５】
2006128794.tif 000007